(57)【要約】      （修正有）【課題】実装や交換することが、簡単で、工具不要であるＬＥＤ灯具構成を提供する。【解決手段】ＬＥＤ灯ユニット３１の交換が、便利に、灯板３０を交換でき、ユーザーは、弾性係止部材１７を押し圧するだけで、快速的に灯板を取り外すことができ、使用便利性が、向上され、また、灯板が、直接に、熱伝導セット２０に接触するため、灯板により発生した廃熱が排出され、放熱性が向上されるため、耐用寿命が向上される。【選択図】図２
0003156362.tif 000002
【実用新案登録請求の範囲】
【請求項１】
中央に、中空部のある枠フレームがあり、中空部の周縁において、間隔に、複数の固定ブロックが設置され、固定ブロックに、固定孔が貫設され、また、二つの対向側に、突起するストッパーが形成され、裏端に、位置付け蓋が設置されて、収納槽が形成され、収納槽内に、更に位置付け柱が設置され、先端に、弾性係止部材が設置され、その上に、係止槽と押し圧部が設置され、係止槽が、弾性係止部材の内側壁面に形成される灯座と、
熱伝導ブロックと熱伝導ゲルがあり、熱伝導ブロックの周縁に、複数の灯座の固定ブロックの固定孔に対応するロック穴が設置され、後付の固定部材を、両者に貫設することにより、熱伝導ブロックと灯座が、互いに固定され、熱伝導ブロックの底部から突出係止部が突出して、灯座の中空部に突入し、熱伝導ゲルが、熱伝導ブロックの上表面に設置される熱伝導セットと、
薄い板体で、上に、ＬＥＤ灯ユニットが設置され、対応するように、熱伝導ブロックと熱伝導ゲルの上に貼り付かれ、また、灯座のストッパーにより所定の位置に定位され、位置付け蓋と弾性係止部材との間において、その一側に、位置付け柱に係止する定位槽が形成され、灯板のもう一側が、弾性係止部材の係止槽に嵌合する灯板と、
が含有される、
ことを特徴とするＬＥＤ灯具構成。
【請求項２】
導通部材が、更に電線に接続され、
灯板において、定位槽の両側に、それぞれ、灯座の導通部材に接触する接電端が設置され、ＬＥＤ灯ユニットに対して給電することを特徴とする請求項１に記載のＬＥＤ灯具構成。
【請求項３】
押し圧部が、外へ突出するように、弾性係止部材の上部に設置されることを特徴とする請求項1に記載のＬＥＤ灯具構成。
【考案の詳細な説明】
【技術分野】
【０００１】
本考案は、ＬＥＤ灯具構成に関し、特に、灯ケースに実装されるＬＥＤ灯具に関する。
【背景技術】
【０００２】
図６を参照しながら、既存の技術によるＬＥＤ灯板９０は、薄い板体にＬＥＤ灯ユニット９１が設置されて、ＬＥＤ灯板９０の周縁に、複数の固定孔９２が形成され、固定部材で、灯ケース（固定部材と灯ケースが、図に表示されていない）に固定され、電源オンにより、照明機能が実現されるものが多く
【０００３】
しかしながら、ＬＥＤ灯ユニット９１内の発光素子が、故障により輝度が低下することや全体として点灯できないため、交換する場合、ユーザーが、工具で取り外すことが必要であり、また、交換後、工具で、固定部材をロックすることが必要であるため、手順が掛かって、実用的ではない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、実装や交換することが、簡単で、工具不要であるＬＥＤ灯具構成を提供する。
【課題を解決するための手段】
【０００６】
本考案は、上記の目的を達成するため、中央に、中空部のある枠フレームがあり、中空部の周縁において、間隔に、複数の固定ブロックが設置され、固定ブロックに、固定孔が貫設され、また、二つの対向側に、突起するストッパーが形成され、裏端に、位置付け蓋が設置されて、収納槽が形成され、収納槽内に、更に位置付け柱が設置され、先端に、弾性係止部材が設置され、その上に、係止槽と押し圧部が設置され、係止槽が、弾性係止部材の内側壁面に形成される灯座と、熱伝導ブロックと熱伝導ゲルがあり、熱伝導ブロックの周縁に、複数の灯座の固定ブロックの固定孔に対応するロック穴が設置され、後付の固定部材を、両者に貫設することにより、熱伝導ブロックと灯座が、互いに固定され、熱伝導ブロックの底部から突出係止部が突出して、灯座の中空部に突入し、熱伝導ゲルが、熱伝導ブロックの上表面に設置される熱伝導セットと、薄い板体で、上に、ＬＥＤ灯ユニットが設置され、対応するように、放熱ブロックと熱伝導ゲルの上に貼り付かれ、また、灯座のストッパーにより所定の位置に定位され、位置付け蓋と弾性係止部材との間において、その一側に、位置付け柱に係止する定位槽が形成され、灯板のもう一側が、弾性係止部材の係止槽に嵌合する灯板と、が含有される、ＬＥＤ灯具構成である。
【０００７】
本考案によるＬＥＤ灯具構成によれば、新規の設計により、ＬＥＤ灯ユニットの交換が、便利に、灯板を交換でき、ユーザーは、弾性係止部材を押し圧するだけで、快速的に灯板を取り外すことができ、使用便利性が、向上され、また、灯板が、直接に、熱伝導セットに接触するため、灯板により発生した廃熱が排出され、放熱性が向上されるため、耐用寿命が向上される。
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
以下、図面を参照しながら、本考案について、その特徴や内容及び利点を詳しく説明する。
【００１０】
図１乃至図5を参照しながら、本考案に係るＬＥＤ灯具構成は、複数のネジ穴を有する従来の灯ケース（図に未表示）に実装され、そのより良い実施例によれば、灯座１０と熱伝導セット２０及び灯板３０が含有される。
【００１１】
灯座１０は、中央に、中空部１１が貫設された四角形枠フレームがあり、また、中空部１１の周縁に、間隔に、複数の固定ブロック１２が設置され、固定ブロック１２に、灯ケースのネジ穴に対応する固定孔１２１が貫設され、灯座１０の二つの対向側に、突起するストッパー１３が形成され、また、裏端に、位置付け蓋１４が設置されて、収納槽１４１が形成され、収納槽１４１内に、更に位置付け柱１５と二つの導通部材１６が設置され、導通部材１６に、給電するため、更に電線が接続され、また、灯座１０は、先端に、弾性係止部材１７が設置され、その上に、係止槽１７１と押し圧部１７２が設置され、係止槽１７１が、弾性係止部材１７の内側壁面に形成され、押し圧部１７２が、弾性係止部材１７の上部に設置されて、外へ突出するため、ユーザーにより押し圧すると、弾性係止部材１７が、外へ捲り上がる。
【００１２】
前記の熱伝導セット２０は、更に、熱伝導ブロック２１と熱伝導ゲル２２が含有され、熱伝導ブロック２１は、高熱伝導効率材質からなり、その上周縁に、複数の、灯座１０の固定ブロック１２の固定孔１２１に対応するロック穴２１１が設置され、後付の固定部材を、両者に貫設することにより、熱伝導ブロック２１と灯座１０が、互いに固定され、また、熱伝導ブロック２１は、底部に、突出係止部２１２が突出して、灯座１０の中空部１１に突入し、灯ケースと、直接に接触して放熱機能を発揮し、また、熱伝導ゲル２２が、熱伝導ブロック２１の上表面に設置される。
【００１３】
前記の灯板３０は、薄い板体で、その上に、ＬＥＤ灯ユニット３１が設置され、灯板３０が、対応して熱伝導ブロック２１と熱伝導ゲル２２に貼り付かれ、また、灯座１０のストッパー１３により所定の位置に定位され、位置付け蓋１４と弾性係止部材１７との間において、その一側に、位置付け柱１５に係止する定位槽３２が形成され、これにより、定位機能が発揮され、また、灯板３０のもう一側が、弾性係止部材１７の係止槽１７１に嵌合されて、固定され、そして、灯板３０において、定位槽３２の両側に、それぞれ、灯座１０の導通部材１６に接触する接電端３３が設置され、ＬＥＤ灯ユニット３１に対して給電する。
【００１４】
本考案に新規の設計により、ＬＥＤ灯ユニット３１が故障して交換することが必要とする場合、ユーザーが、便利に、灯板３０を交換できる利点が得られ、ユーザーが、弾性係止部材１７を押し圧するだけで、快速的に灯板３０を取り外すことができ、使用便利性が大幅に向上され、また、灯板３０が、直接に、熱伝導セット２０に接触するため、快速的に灯板３０により発生した廃熱を放熱でき、放熱性が向上されるため、本考案の耐用寿命が大幅に向上される。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の外観図
【図２】本考案の分解図
【図３】本考案の灯板外観図
【図４】本考案の灯座外観図
【図５】本考案の局部素子拡大図
【図６】既存技術の外観図
【符号の説明】
【００１８】
１０  灯座
１１  中空部
１２  固定ブロック
１２１固定孔
１３  ストッパー
１４  位置付け蓋
１４１収納槽
１５  位置付け柱
１６  導通部材
１７  弾性係止部材
１７１係止槽
１７２押し圧部
２０  熱伝導セット
２１  熱伝導ブロック
２１１ロック穴
２１２突出係止部
２２  熱伝導ゲル
３０  灯板
３１  ＬＥＤ灯ユニット
３２  定位槽
３３  接電端
９０  ＬＥＤ灯板
９１  ＬＥＤ灯ユニット
９２  固定孔
【図１】
0003156362.tif 000003
【図２】
0003156362.tif 000004
【図３】
0003156362.tif 000005
【図４】
0003156362.tif 000006
【図５】
0003156362.tif 000007
【図６】
0003156362.tif 000008